Podtech/llm-jp-corpus-v4-ja_patent huggingface dataset:
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
非晶質ヘミフマル酸テノホビルアラフェナミド。
【請求項２】
図１に示す粉末Ｘ線回折パターンによって特徴付けられる、請求項１に記載の非晶質ヘミフマル酸テノホビルアラフェナミド。
【請求項３】
ａ．ヘミフマル酸テノホビルアラフェナミドを溶媒に溶かして溶液を形成するステップ；および
ｂ．該溶媒を除去して非晶質ヘミフマル酸テノホビルアラフェナミドを単離するステップ
を含む、非晶質ヘミフマル酸テノホビルアラフェナミドを調製するプロセス。
【請求項４】
ａ．ヘミフマル酸テノホビルアラフェナミドを溶媒に溶かして溶液を形成すること；
ｂ．該溶液を医薬的に許容可能な賦形剤と合わせること；および
ｃ．該溶媒を除去して、非晶質ヘミフマル酸テノホビルアラフェナミドを含有する該予備混合物を単離すること
を含む、非晶質ヘミフマル酸テノホビルアラフェナミドを含有する予備混合物を調製するプロセス。
【請求項５】
該溶媒が、アルコール溶媒、ケトン溶媒、塩素化溶媒、水およびそれらの混和性混合物から構成される群から選択される、請求項３または４に記載のプロセス。
【請求項６】
前記アルコール溶媒が、メタノール、エタノール、プロパノール、イソプロパノール、ｎ−ブタノール、ｓｅｃ−ブタノール、２−ブタノール、ｔ−ブタノール、１−ペンタノール、２−ペンタノール、３−ペンタノール、２−メチル−１−ブタノール、２−メチル−１−ブタノール、２，２−ジメチル−２−ブタノール、３−メチル−２−ブタノール、２，２−ジメチル−１−プロパノール、１，１−ジメチル−１−プロパノールおよびそれらの混合物から構成される群から選択され、
前記ケトン溶媒が、アセトン、メチルエチルケトン、メチルイソブチルケトン、２−ブタノンおよびそれらの混合物から構成される群から選択され、
前記塩素化溶媒が、ジクロロメタン、１，１−ジクロロエタン、１，２−ジクロロエタン、クロロホルム、四塩化炭素およびそれらの混合物から構成される群から選択される、請求項５に記載のプロセス。
【請求項７】
該溶媒が、蒸発、蒸留、噴霧乾燥、凍結乾燥または撹拌薄膜乾燥によって除去される、請求項３〜６のいずれか１項に記載のプロセス。
【請求項８】
該医薬的に許容可能な賦形剤が、多糖類、ポリビニルピロリドン、ポリ酢酸ビニル、ポリビニルアルコール、アクリル酸のポリマーとその塩、ポリアクリルアミド、ポリメタクリレート、ビニルピロリドン−酢酸ビニル共重合体、Ｃ１〜Ｃ６ポリアルキレングリコール、およびそれらの混合物から構成される群から選択される、請求項４に記載のプロセス。
【請求項９】
前記多糖類が、ヒドロキシプロピルメチルセルロース、クロスカルメロース、カルボキシメチルセルロース、カルボキシメチルセルロースのナトリウム塩、カルボキシメチルセルロースのカルシウム塩、メチルセルロース、ヒドロキシエチルセルロース、エチルヒドロキシエチルセルロース、ヒドロキシプロピルセルロース、微結晶セルロース、場合によって置換されているα−シクロデキストリン、場合によって置換されているβ−シクロデキストリン、場合によって置換されているγ−シクロデキストリン、およびそれらの混合物から構成される群から選択され、
前記ビニルピロリドン−酢酸ビニル共重合体が、Ｎ−ビニル−２−ピロリドンと酢酸ビニルとを６０：４０の質量比で含み、
前記Ｃ１〜Ｃ６ポリアルキレングリコールが、ポリエチレングリコール、ポリプロピレングリコールおよびそれらの混合物から構成される群から選択され、
前記場合によって置換されているシクロデキストリンが、β−シクロデキストリン、ヒドロキシプロピル−β−シクロデキストリンおよびそれらの混合物から構成される群から選択される、請求項８に記載のプロセス。
【請求項１０】
該１つ以上の医薬的に許容可能な賦形剤を第２溶媒に溶かして第２溶液を形成することをさらに含む、請求項４に記載のプロセス。
【請求項１１】
該溶媒と該第２溶媒とが同一である、請求項１０に記載のプロセス。
【請求項１２】
非晶質ヘミフマル酸テノホビルアラフェナミドと医薬的に許容可能な賦形剤とを含む予備混合物。
【請求項１３】
該医薬的に許容可能な賦形剤が、ポリビニルピロリドン対酢酸ビニルの質量比を６０：４０とするポリビニルピロリドン−酢酸ビニル共重合体である、請求項１２に記載の予備混合物。
【請求項１４】
該医薬的に許容可能な賦形剤が、３０のＫ値を有するポビドンである、請求項１２に記載の予備混合物。
【請求項１５】
該医薬的に許容可能な賦形剤がヒドロキシプロピル−β−シクロデキストリンである、請求項１２に記載の予備混合物。
【請求項１６】
該医薬的に許容可能な賦形剤がβ−シクロデキストリンである、請求項１２に記載の予備混合物。
【請求項１７】
該予備混合物を５±３℃で３ヶ月間または６ヶ月間保存した場合に１％未満の該予備混合物が分解する、請求項１２に記載の予備混合物。
【請求項１８】
該予備混合物を２５℃および相対湿度６０％で３ヶ月間または６ヶ月間保存した場合に１％未満の該予備混合物が分解する、請求項１２に記載の予備混合物。
【請求項１９】
非晶質ヘミフマル酸テノホビルアラフェナミドを含む、または、非晶質ヘミフマル酸テノホビルアラフェナミドと医薬的に許容可能な賦形剤との予備混合物を含む、経口用医薬剤形。
【請求項２０】
第２活性医薬品原料をさらに含む、請求項１９に記載の経口用医薬剤形。
【請求項２１】
該第２活性医薬品原料が、コビシスタット、エムトリシタビン、エルビテグラビア、ドルテグラビル、ラミブジン、ネビラピン、エファビレンツ、アタザナビル、リトナビル、ネビラピン、リルピビリン、エトラビリン、ダルナビルおよび医薬的に許容可能なそれらの塩から構成される群から選択される、請求項２０に記載の経口用医薬剤形。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
必要性のある被験体において（例えば、疾患遺伝子が遺伝している被験体において）ハンチントン病（ＨＤ）を処置または防止するための組成物であって、前記組成物は、前記被験体の脳において、処置前の前記被験体における機能またはレベルと比較して、ｍＴＯＲＣ１機能を活性化するおよび／または線条体で富化されるＲａｓホモログ（Ｒｈｅｓ）レベルを増大させる治療剤を包含する、組成物。
【請求項２】
前記被験体は、ミトコンドリア機能不全、異常なコレステロールホメオスタシス、線条体萎縮、ドパミンシグナル伝達障害および／または低下したオートファジーを有し得る、請求項１に記載の組成物。
【請求項３】
必要性のある被験体においてｍＨＴＴ関連代謝表現型および／または線条体萎縮の改善を調節するための組成物であって、前記組成物は、前記被験体の脳において、処置前の前記被験体における機能またはレベルと比較して、ｍＴＯＲＣ１機能を活性化するおよび／または線条体で富化されるＲａｓホモログ（Ｒｈｅｓ）レベルを増大させる治療剤を包含する、組成物。
【請求項４】
前記治療剤は、ｍＴＯＲＣ１調節因子を含む、請求項１〜３のいずれか１項に記載の組成物。
【請求項５】
前記ｍＴＯＲＣ１調節因子は、Ｒｈｅｂである、請求項４に記載の組成物。
【請求項６】
前記Ｒｈｅｂは、構成的に活性なＲｈｅｂ変異体（ｃａＲｈｅｂ；Ｓ１６Ｈ）である、請求項５に記載の組成物。
【請求項７】
前記治療剤は、ウイルスベクター中に含まれる、請求項６に記載の組成物。
【請求項８】
前記ウイルスベクターは、アデノ随伴ウイルス（ＡＡＶ）ベクターである、請求項７に記載の組成物。
【請求項９】
前記治療剤は、Ｒｈｅｓを含む、請求項１〜３のいずれか１項に記載の組成物。
【請求項１０】
前記治療剤は、ウイルスベクター中に含まれる、請求項９に記載の組成物。
【請求項１１】
前記ウイルスベクターは、アデノ随伴ウイルス（ＡＡＶ）ベクターである、請求項１０に記載の組成物。
【請求項１２】
前記ＡＡＶは、ＡＡＶ１、ＡＡＶ２、ＡＡＶ５、ＡＡＶ６および／またはＡＡＶ９である、請求項１１に記載の組成物。
【請求項１３】
前記ＡＡＶは、ＡＡＶ２である、請求項１２に記載の組成物。
【請求項１４】
前記ＡＡＶは、ＡＡＶ２／１である、請求項１２に記載の組成物。
【請求項１５】
前記組成物は、前記被験体の脳へと、直接にまたは血流を介してかのいずれかで投与されることを特徴とする、請求項１〜１４のいずれか１項に記載の組成物。
【請求項１６】
前記組成物は、前記被験体の線条体、皮質または脳室空間へと投与されることを特徴とする、請求項１５に記載の組成物。
【請求項１７】
前記被験体は、ヒトである、請求項１〜１６のいずれか１項に記載の組成物。
【請求項１８】
前記組成物は、ＣＮＳにおいて１〜５箇所に注射されることを特徴とする、請求項１〜１７のいずれか１項に記載の組成物。
【請求項１９】
前記組成物は、脳において１箇所に注射されることを特徴とする、請求項１８に記載の組成物。
【手続補正２】
【補正対象書類名】明細書
【補正対象項目名】００１５
【補正方法】変更
【補正の内容】
【００１５】
ある種の実施形態において、上記薬剤は、上記被験体の脳へと投与される。ある種の実施形態において、上記薬剤は、脳において１〜５箇所に（例えば、脳において１箇所、２箇所または３箇所に）注射される。ある種の実施形態において、上記薬剤は、哺乳動物の線条体、皮質または脳室空間に投与される。
本発明の実施形態において、例えば以下の項目が提供される。
（項目１）
必要性のある被験体において（例えば、疾患遺伝子が遺伝している被験体において）ハンチントン病（ＨＤ）を処置または防止するための方法であって、前記方法は、前記被験体の脳において、処置前の前記被験体における機能またはレベルと比較して、ｍＴＯＲＣ１機能を活性化するおよび／または線条体で富化されるＲａｓホモログ（Ｒｈｅｓ）レベルを増大させる治療剤を投与する工程を包含する、方法。
（項目２）
前記被験体は、ミトコンドリア機能不全、異常なコレステロールホメオスタシス、線条体萎縮、ドパミンシグナル伝達障害および／または低下したオートファジーを有し得る、項目１に記載の方法。
（項目３）
必要性のある被験体においてｍＨＴＴ関連代謝表現型および／または線条体萎縮の改善を調節するための方法であって、前記方法は、前記被験体の脳において、処置前の前記被験体における機能またはレベルと比較して、ｍＴＯＲＣ１機能を活性化するおよび／または線条体で富化されるＲａｓホモログ（Ｒｈｅｓ）レベルを増大させる治療剤を投与する工程による、方法。
（項目４）
前記治療剤は、ｍＴＯＲＣ１調節因子を含む、項目１〜３のいずれか１項に記載の方法。
（項目５）
前記ｍＴＯＲＣ１調節因子は、Ｒｈｅｂである、項目４に記載の方法。
（項目６）
前記Ｒｈｅｂは、構成的に活性なＲｈｅｂ変異体（ｃａＲｈｅｂ；Ｓ１６Ｈ）である、項目５に記載の方法。
（項目７）
前記治療剤は、ウイルスベクター中に含まれる、項目６に記載の方法。
（項目８）
前記ウイルスベクターは、アデノ随伴ウイルス（ＡＡＶ）ベクターである、項目７に記載の方法。
（項目９）
前記治療剤は、Ｒｈｅｓを含む、項目１〜３のいずれか１項に記載の方法。
（項目１０）
前記治療剤は、ウイルスベクター中に含まれる、項目９に記載の方法。
（項目１１）
前記ウイルスベクターは、アデノ随伴ウイルス（ＡＡＶ）ベクターである、項目１０に記載の方法。
（項目１２）
前記ＡＡＶは、ＡＡＶ１、ＡＡＶ２、ＡＡＶ５、ＡＡＶ６および／またはＡＡＶ９である、項目１１に記載の方法。
（項目１３）
前記ＡＡＶは、ＡＡＶ２である、項目１２に記載の方法。
（項目１４）
前記ＡＡＶは、ＡＡＶ２／１である、項目１２に記載の方法。
（項目１５）
前記治療剤は、前記被験体の脳へと、直接にまたは血流を介してかのいずれかで投与される、項目１〜１４のいずれか１項に記載の方法。
（項目１６）
前記治療剤は、前記被験体の線条体、皮質または脳室空間へと投与される、項目１５に記載の方法。
（項目１７）
前記被験体は、ヒトである、項目１〜１６のいずれか１項に記載の方法。
（項目１８）
前記薬剤は、ＣＮＳにおいて１〜５箇所に注射される、項目１〜１７のいずれか１項に記載の方法。
（項目１９）
前記薬剤は、脳において１箇所に注射される、項目１８に記載の方法。
【誤訳訂正書】
【提出日】平成30年11月20日(2018.11.20)
【誤訳訂正１】
【訂正対象書類名】特許請求の範囲
【訂正対象項目名】全文
【訂正方法】変更
【訂正の内容】
【特許請求の範囲】
【請求項１】
少なくとも１種のジエンエラストマー、補強用充填剤、下記の式(Ia)または(Ib)の多官能性アクリレート誘導体をベースとするゴム組成物を含むタイヤであって：
【化１】
2018502191.tif 000001
(式中、R1、R2およびR3は、個々に、水素原子、或いは線状、枝分れまたは環状のアルキル、アラルキル基、アルキルアリール基およびアリール基からなる群から選ばれ、１個以上のヘテロ原子によって遮断されていてもよいC1〜C7炭化水素基を示し；R2およびR3は、一緒になって非芳香環を形成し得；nは、値1、2または3を有する整数を示し；式(Ia)の多官能性アクリレート誘導体の場合、R4は、水素原子、メチル基、エチル基、プロピル基またはイソプロピル基から選ばれた基を示す)；
前記組成物はさらにペルオキシドを含み、多官能性アクリレート誘導体とペルオキシドの各含有量は、多官能性アクリレート誘導体含有量対ペルオキシド含有量の比が6以上である量である、上記タイヤ。
【請求項２】
R1、R2およびR3が、個々に、水素原子またはメチル基を示す、請求項１記載のタイヤ。
【請求項３】
前記組成物中の多官能性アクリレート誘導体の量が、10〜70phr (エラストマー100質量部当りの質量部)の範囲内である、請求項１および２のいずれか１項記載のタイヤ。
【請求項４】
前記組成物中のペルオキシドの量が、0.1〜3phrの範囲内である、請求項１〜３のいずれか１項記載のタイヤ。
【請求項５】
多官能性アクリレート誘導体の前記含有量対ペルオキシドの前記含有量の比が、7以上である、請求項１〜４のいずれか１項記載のタイヤ。
【請求項６】
前記ジエンエラストマーが、ポリブタジエン、合成ポリイソプレン、天然ゴム、ブタジエンコポリマー、イソプレンコポリマーおよびこれらのエラストマーの混合物からなる群から選ばれる、請求項１〜５のいずれか１項記載のタイヤ。
【請求項７】
前記組成物が、50phr未満の補強用充填剤を含む、請求項１〜６のいずれか１項記載のタイヤ。
【請求項８】
前記補強用充填剤が、カーボンブラック、シリカまたはこれらの混合物である、請求項１〜７のいずれか１項記載のタイヤ。
【請求項９】
充填剤の含有量対多官能性アクリレート誘導体の前記含有量の比が、0.3〜3の範囲内である、請求項１〜８のいずれか１項記載のタイヤ。
【請求項１０】
前記組成物が、加硫剤としての分子状イオウまたはイオウ供与剤を含有しないか、或いは0.5phr未満の前記分子状イオウまたはイオウ供与剤を含有する、請求項１〜９のいずれか１項記載のタイヤ。
【請求項１１】
請求項１〜１０に記載している組成物が、前記タイヤのトレッドまたは内部層の組成物である、請求項１〜１０のいずれか１項記載のタイヤ。
【誤訳訂正２】
【訂正対象書類名】明細書
【訂正対象項目名】０００７
【訂正方法】変更
【訂正の内容】
【０００７】
本発明は、そのように、少なくとも１種のジエンエラストマー、補強用充填剤、下記の式(Ia)または(Ib)の多官能性アクリレート誘導体をベースとするゴム組成物を含むタイヤに関する：
【化１】
2018502191.tif 000002
(式中、R1、R2およびR3は、個々に、水素原子、或いは線状、枝分れまたは環状のアルキル、アラルキル基、アルキルアリール基およびアリール基からなる群から選ばれ、１個以上のヘテロ原子によって遮断されていてもよいC1〜C7炭化水素基を示し；R2およびR3は、一緒になって非芳香環を形成し得；nは、値1、2または3を有する整数を示し；式(Ia)の多官能性アクリレート誘導体の場合、R4は、水素原子、メチル基、エチル基、プロピル基またはイソプロピル基から選ばれた基を示す)；
上記組成物は、さらに、ペルオキシドを含み、多官能性アクリレート誘導体とペルオキシドの各含有量は、多官能性アクリレート誘導体の含有量対ペルオキシド含有量の比が6以上であるような量である。
【誤訳訂正３】
【訂正対象書類名】明細書
【訂正対象項目名】００４５
【訂正方法】変更
【訂正の内容】
【００４５】
1-2 多官能性アクリレート誘導体
本発明に従うタイヤは、下記の式(Ia)または(Ib)の多官能性アクリレート誘導体を含むゴム組成物を含む：
【化２】
2018502191.tif 000003
(式中、R1、R2およびR3は、個々に、水素原子、或いは線状、枝分れまたは環状のアルキル、アラルキル基、アルキルアリール基およびアリール基からなる群から選ばれ、１個以上のヘテロ原子によって遮断されていてもよいC1〜C7炭化水素基を示し；R2およびR3は、一緒になって非芳香環を形成し得；nは、値1、2または3を有する整数を示し；式(Ia)の多官能性アクリレート誘導体の場合、R4は、水素原子、メチル基、エチル基、プロピル基またはイソプロピル基から選ばれた基を示す)；
【誤訳訂正４】
【訂正対象書類名】明細書
【訂正対象項目名】００７１
【訂正方法】変更
【訂正の内容】
【００７１】
上記式(III)に相応するアルコキシシランポリスルフィド類の混合物、特に、通常の商業的に入手可能な混合物の場合、“x”指数の平均値は、好ましくは2と5の間の、より好ましくはほぼ4の分数である。しかしながら、本発明は、例えば、アルコキシシランジスルフィド(x = 2)によっても有利に実施し得る。
【誤訳訂正５】
【訂正対象書類名】明細書
【訂正対象項目名】０１０９
【訂正方法】変更
【訂正の内容】
【０１０９】
対照組成物との比較において、組成物I1は、対照組成物C1およびC5と同じ補強レベル(M300で示す)であるが、大きく低下したヒステリシスを示していることが注目される。組成物I2は、高レベルの補強(M300)を達成すると共に低ヒステリシスおよび良好な凝集力(破断点伸びによって示す)を保持することを可能にしている。
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
中空のローターホルダー；
前記ローターホルダーの外周面に沿って配置されたヨーク部材；
前記ヨーク部材の外周面に沿って配置された第１マグネット；及び
前記ローターホルダーの上部から放射状外側に、前記ヨーク部材及び前記第１マグネットの境界面を越えて延長された支持結合部を含み、
前記支持結合部の下面は前記ヨーク部材の上面及び前記第１マグネットの上面と直接接触され、
前記支持結合部は円周方向に互いに離隔された複数の単位支持結合部を含むことを特徴とする、トルクセンサーモジュール。
【請求項２】
複数の前記単位支持結合部は一定の回転角度で離隔されることを特徴とする、請求項１に記載のトルクセンサーモジュール。
【請求項３】
前記支持結合部は前記ヨーク部材及び前記第１マグネットを上下方向に固定することを特徴とする、請求項１または２に記載のトルクセンサーモジュール。
【請求項４】
前記支持結合部は前記ヨーク部材及び前記第１マグネットの厚さの合計以下の突出幅を有することを特徴とする、請求項１乃至３のうちいずれか一つに記載のトルクセンサーモジュール。
【請求項５】
前記ヨーク部材の外周面と前記第１マグネットの内周面は非粘着結合構造であることを特徴とする、請求項１乃至４のうちいずれか一つに記載のトルクセンサーモジュール。
【請求項６】
前記支持結合部は前記ヨーク部材及び前記第１マグネットの上面と融着することを特徴とする、請求項１乃至５のうちいずれか一つに記載のトルクセンサーモジュール。
【請求項７】
前記ローターホルダーは、
本体；
前記本体の上端部から外部に延長されて突出する上部支持部；及び
前記本体の下端部から外部に延長されて突出する下部支持部を含むことを特徴とする、請求項１乃至６のうちいずれか一つに記載のトルクセンサーモジュール。
【請求項８】
前記本体の直径が前記上部支持部または前記下部支持部の直径より小さいことを特徴とする、請求項７に記載のトルクセンサーモジュール。
【請求項９】
前記上部支持部は前記本体の上端部で外部方向に折り曲げられ、前記下部支持部は前記本体の下端部で外部方向に折り曲げられたことを特徴とする、請求項７または８に記載のトルクセンサーモジュール。
【請求項１０】
前記支持結合部と前記ローターホルダーの材質は同一であることを特徴とする、請求項１乃至９のうちいずれか一つに記載のトルクセンサーモジュール。
【請求項１１】
トルクセンサーモジュール；
前記トルクセンサーモジュールの外周面に離隔して配置されて、出力軸と連結されるステーター；及び
前記ステーターの下側に結合して、前記ステーターと共に回動するメインギア及び前記メインギアと連動して第２マグネット及び第３マグネットを含む複数のサブギアを含むギアモジュールを含み、
前記トルクセンサーモジュールは、
中空のローターホルダー；
前記ローターホルダーの外周面に沿って配置されたヨーク部材；
前記ヨーク部材の外周面に沿って配置された第１マグネット；及び
前記ローターホルダーの上部から放射状外側に、前記ヨーク部材及び前記第１マグネットの境界面を越えて延長され、下面が前記ヨーク部材及び前記第１マグネットの上面と接触する支持結合部を含み、
前記支持結合部は円周方向に互いに離隔された複数の単位支持結合部を含むことを特徴とする、操舵角センシング装置。
【請求項１２】
複数の前記単位支持結合部は一定の回転角度に離隔されたことを特徴とする、請求項１１に記載の操舵角センシング装置。
【請求項１３】
前記支持結合部は前記ヨーク部材及び前記第１マグネットを上下方向に固定することを特徴とする、請求項１１または１２に記載の操舵角センシング装置。
【請求項１４】
前記支持結合部は前記ヨーク部材及び前記第１マグネットの厚さの合計以下の突出幅を有することを特徴とする、請求項１１乃至１３のうちいずれか一つに記載の操舵角センシング装置。
【請求項１５】
前記ヨーク部材の外周面と前記第１マグネットの内周面は非粘着結合構造であることを特徴とする、請求項１１乃至１４のうちいずれか一つに記載の操舵角センシング装置。
【請求項１６】
前記ローターホルダーは、
本体；
前記本体の上端部から外部に延長されて突出する上部支持部；及び
前記本体の下端部から外部に延長されて突出する下部支持部を含むことを特徴とする、請求項１１乃至１５のうちいずれか一つに記載の操舵角センシング装置。
【請求項１７】
前記本体の直径が前記上部支持部または前記下部支持部の直径より小さいことを特徴とする、請求項１６に記載の操舵角センシング装置。
【請求項１８】
前記複数のサブギアは、
前記メインギアの歯車列に各々歯車結合する第１サブギア及び第２サブギアを含み、
前記第１サブギア及び前記第２サブギアの回転の中心に前記第２マグネット及び前記第３マグネットが各々配置されることを特徴とする、請求項１１乃至１５のうちいずれか一つに記載の操舵角センシング装置。
【請求項１９】
前記第２マグネットと対向する印刷回路基板上に配置される第１マグネットセンサーをさらに含むことを特徴とする、請求項１８に記載の操舵角センシング装置。
【請求項２０】
操舵角センシング装置；及び
前記操舵角センシング装置で感知した運行条件によりモーターを駆動する電子制御装置を含み、
前記操舵角センシング装置は、
トルクセンサーモジュール；
前記トルクセンサーモジュールの外周面に離隔して配置されて、出力軸と連結されるステーター；及び
前記ステーターの下側に結合して、前記ステーターと共に回動するメインギア及び前記メインギアと連動し第２マグネット及び第３マグネットを含む複数のサブギアを含むギアモジュールを含み、
前記トルクセンサーモジュールは、
中空のローターホルダー；
前記ローターホルダーの外周面に沿って配置されたヨーク部材；
前記ヨーク部材の外周面に沿って配置された第１マグネット；及び
前記ローターホルダーの上部から放射状外側に、前記ヨーク部材及び前記第１マグネットの境界面を越えて延長され、下面が前記ヨーク部材及び前記第１マグネットの上面と接触する支持結合部を含み、
前記支持結合部は円周方向に互いに離隔された複数の単位支持結合部を含むことを特徴とする、電動式操舵装置。
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
２つの垂直な側部框および２つの垂直な前部框を備える垂直段梯子であって、前記２つの垂直な前部框は、前記２つの垂直な前部框より共に近く、２つの垂直な組の内方に延在する水平な半踏み板は、それらの間を登るために離間されており、水平な桟部材は、前記２つの垂直な前部框の間に接続された前部分、および、前記２つの垂直な前部框のうち１つに隣接して直角に屈曲する側部分をそれぞれ有し、それにより、各桟部材が前記２つの垂直な側部框のどちらとも直接接続されない、前記側部分の末端と各々の垂直な側部框の内側面との間に各々の半踏み板を固定し、垂直に隣接する水平な桟部材の側部分は対向する側部框に隣接して位置しており、それにより、垂直に隣接する側部分の間の離間は、垂直に隣接する前部分の間の離間より大きい、垂直段梯子。
【請求項２】
各半踏み板は、その中間部分において、前記各々の垂直な側部框の内側面に固定される、請求項１に記載の垂直段梯子。
【請求項３】
各半踏み板は、前記各々の垂直な側部框の内側面において、昇段のための板および側方の直立して直交する突縁を備える、請求項１に記載の垂直段梯子。
【請求項４】
各側部分は、各々の水平な板の下に接続される、請求項３に記載の垂直段梯子。
【請求項５】
各側部分は、前記各々の水平な板の内縁において接続される、請求項４に記載の垂直段梯子。
【請求項６】
前記桟部材の前部分は、前記２つの垂直な前部框の内側面に接続される、請求項１に記載の垂直段梯子。
【請求項７】
前記桟部材は管状である、請求項１に記載の垂直段梯子。
【請求項８】
前記２つの垂直な前部框の間の前部分のない垂直な部分品をさらに備える、請求項１に記載の垂直段梯子。
【請求項９】
前記２つの垂直な側部框は、使用中に別の組の２つの垂直な側部框を接続するための接続部内で終端する、請求項１に記載の垂直段梯子。
【請求項１０】
前記接続部は、重なり合う接続板を備える、請求項９に記載の垂直段梯子。
【請求項１１】
前記重なり合う接続板は、各々の垂直な側部框の外側面にあり、各接続板は、それを通じる締結具の挿入のために並置する開口を有する、請求項１０に記載の垂直段梯子。
【誤訳訂正書】
【提出日】平成31年3月12日(2019.3.12)
【誤訳訂正１】
【訂正対象書類名】明細書
【訂正対象項目名】００１４
【訂正方法】変更
【訂正の内容】
【００１４】
本発明によれば、基本的に、横糸の数と縦糸の数はほぼ同じであることが好ましい。具体的には、本発明によれば、横糸の数と縦糸の数の差は最大で５〜１０本／ｃｍである。
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
内部燃焼エンジンのためのピストンアセンブリであって、
環状外壁および環状内壁によってともに接合される上部クラウンと下部クラウンとを有するピストンヘッドを備え、前記上部クラウンは、上部燃焼表面と前記上部クラウンの中に垂下する燃焼ボウルとを有し、下方クラウン表面は前記燃焼ボウルに対向して設けられ、前記下部クラウンは、上壁と、前記上壁から垂下する横方向に離間された一対のピンボスとを有し、前記ピンボスは、ピンボア軸に沿って互いに軸方向に整列されるピンボアと、前記上壁に形成されかつ前記ピンボス間に延在して前記ピンボアを備える連続するベアリング表面を形成するための凹形状のベアリング表面と、前記環状外壁と前記環状内壁との間で画定されるトロイド状の外側冷却ギャラリと、前記環状内壁によって画定される内側冷却ギャラリとを有し、前記上壁は、少なくとも一つのオイル注入口と、前記内側冷却ギャラリの中へ延在する少なくとも一つのオイル排出口とを有し、ピストンアセンブリは、
貫通孔を有するリストピンと、
前記リストピンとの共同の振動のために前記リストピンに固定される端部を有するコネクティングロッドとを備え、前記コネクティングロッドは、前記リストピンの前記貫通孔と前記オイル注入口との流体接続のために整列されて、前記コネクティングロッドを通って、前記リストピンを通って、および前記オイル注入口を通って、前記内側冷却ギャラリの中へ、および前記少なくとも一つのオイル排出口を通って前記内側冷却ギャラリから外側にオイルが流れることを可能にする、オイル通路を有する、ピストンアセンブリ。
【請求項２】
前記オイル通路は、前記貫通孔との不断の流体接続のために、および前記少なくとも一つのオイル注入口との断続的な流体接続のために構成される、請求項１に記載のピストンアセンブリ。
【請求項３】
前記少なくとも一つのオイル排出口は、前記リストピンの外面上に直接オイルを導くために整列される、請求項１に記載のピストンアセンブリ。
【請求項４】
前記少なくとも一つのオイル排出口は、前記リストピンの外面に実質的に接して整列される、請求項３に記載のピストンアセンブリ。
【請求項５】
前記少なくとも一つのオイル排出口は、互いに前記ピンボア軸の対向する側上に形成される一対のオイル排出口を含む、請求項４に記載のピストンアセンブリ。
【請求項６】
一つの前記オイル注入口は、前記ピストンが往復する中心長手方向軸に沿って整列される、請求項１に記載のピストンアセンブリ。
【請求項７】
前記外側冷却ギャラリ内に前記下方クラウン表面に沿って径方向に延在する複数の補強リブをさらに含む、請求項１に記載のピストンアセンブリ。
【請求項８】
前記上壁は、前記内側冷却ギャラリに実質的に平坦な床を形成し、前記上壁は、前記外側冷却ギャラリに実質的に平坦な床を形成する、請求項１に記載のピストンアセンブリ。
【請求項９】
前記貫通孔は第１長手方向軸に沿って延在し、前記通路は第２長手方向軸に沿って延在し、前記第１の長手方向軸は前記第２長手方向軸対して傾けられる、請求項１に記載のピストンアセンブリ。
【請求項１０】
内部燃焼エンジンのためのピストンであって、
上部クラウンと下部クラウンとを有するピストンヘッドを備え、前記上部クラウンは、前記上部クラウンの中に垂下する燃焼ボウルを有する上部燃焼表面を含み、燃焼ボウルに対向する下方クラウン表面を備え、前記上部クラウンはさらに、環状上部外壁部と、前記下方クラウン表面から垂下する環状上部内壁部とを含み、前記上部内壁部は、前記上部外壁部から径方向内側に離間され、
前記下部クラウンは、前記上部クラウンから垂下し、リストピンの受容のために軸方向に整列されたピンボアを有する横方向に離間された一対のピンボスと、前記ピンボス間に延在する直径方向に対向する一対のスカート部とを含み、前記下部クラウンは、前記ピンボス間に延在する凹形状のサドルベアリング表面を有する上壁を含んで、前記ピンボアとの組み合わせで、連続するベアリング表面を提供し、前記下部クラウンは、環状下部外壁部と環状下部内壁部とを含み、前記環状下部外壁部および前記環状下部内壁部は、前記上壁から上方向に延在し、前記環状上部外壁部および前記環状下部外壁部は、互いに固定され、前記環状上部内壁および前記環状下部内壁は互いに固定され、内側冷却ギャラリを取り囲むトロイド状の外側冷却ギャラリを形成する、ピストン。
【請求項１１】
前記サドルベアリング表面を通って前記内側冷却ギャラリの中へ延在する少なくとも一つのオイル注入口をさらに含む、請求項１０に記載のピストン。
【請求項１２】
前記サドルベアリング表面と概ね接する関係で前記上壁を通って延在して、オイルが前記内側冷却ギャラリから前記リストピン上へ外側に流れることを可能にする、少なくとも一つのオイル排出をさらに含み、
前記少なくとも一つのオイル排出口は、互いに前記ピンボア軸の対向する側上に形成される、一対のオイル排出口を含む、請求項１１に記載のピストン。
【請求項１３】
前記サドルベアリング表面と概ね接する関係で前記上壁を通って延在して、オイルが前記内側冷却ギャラリから前記リストピン上へ外側に流れることを可能にする、少なくとも一つのオイル注入口をさらに含み、
前記少なくとも一つのオイル注入口は、前記ピストンが往復する中心長手方向軸に沿って整列される、請求項１１に記載のピストン。
【請求項１４】
前記内側冷却ギャラリは封止されている、請求項１０に記載のピストン。
【請求項１５】
内部燃焼エンジンのためのピストンアセンブリを構成する方法であって、
上部クラウンと下部クラウンとを有するピストンヘッドを形成することと、
その中に垂下する燃焼ボウルを有する上部燃焼表面を有し、前記燃焼ボウルに対向する下方クラウン表面を備える、前記上部クラウンを形成することと、
前記下方クラウン表面から垂下する環状上部外壁部と環状上部内壁部とを形成することと、
前記下部クラウンの上壁から垂下し、リストピンの受容のための軸方向に整列されたピンボアを有する、横方向に離間された一対のピンボスを形成することと、
前記ピンボス間に延在する、直径方向に対向する一対のスカート部を形成することと、
前記下部クラウンの前記上壁に前記ピンボス間に延在する凹形状のサドルベアリング表面を形成することと、
前記サドルベアリング表面を通る少なくとも一つのオイル注入口を形成することと、
前記下部クラウンの前記上壁に少なくとも一つのオイル排出口を形成することと、
環状下部外壁部と、前記上壁から上方向に延在する環状下部内壁部とを有する、前記下部クラウンを形成することと、
前記環状上部外壁部と前記環状下部外壁部とを互いに固定し、前記環状上部内壁部と前記環状下部内壁部とを互いに固定し、内側冷却ギャラリを取り囲むトロイド状の外側冷却ギャラリを形成することと、
前記リストピンと共同の振動のために前記リストピンにコネクティングロッドの端部を固定し、前記コネクティングロッドのオイル通路を前記リストピンの貫通孔との流体接続へ持ち込むことと、
前記サドルベアリング表面に対する前記リストピンの往復の間に、前記上壁の前記少なくとも一つのオイル注入口との流体接続のために、前記リストピンの前記貫通孔を構成することとを備える、方法。
【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
標的肺コンパートメントと隣接の肺コンパートメントとの間の側副フローチャネルを閉塞するシステムであって、前記システムは、
前記標的肺コンパートメントに接近して隔離するよう構成された隔離カテーテルと、
流体を前記標的肺コンパートメント中に送り込んで前記標的肺コンパートメントが加圧され、そして前記流体が前記側副フローチャネルを通って流れるようにするよう構成された流体運搬機構体と、
作用剤を前記隔離された肺コンパートメント中に注入して前記作用剤が前記流体によって前記側副フローチャネルまで運ばれ、それにより前記側副フローチャネルを封止するよう構成された作用剤運搬機構体と、
前記隔離カテーテルと関連したセンサからの入力を受け取り、そして前記入力に基づいて前記作用剤の前記注入を調時するよう構成されたプロセッサとを含む、システム。
【請求項２】
前記作用剤は、シーラントである、請求項１記載のシステム。
【請求項３】
前記プロセッサによって受け取られる前記入力は、前記標的肺コンパートメント内の圧力の測定値であり、前記作用剤の前記注入の前記調時は、前記測定圧力に基づく、請求項１記載のシステム。
【請求項４】
前記作用剤の前記注入を調時する行為は、所定のしきい値よりも低い前記測定圧力降下後に前記作用剤を注入する行為を含む、請求項３記載のシステム。
【請求項５】
前記作用剤の前記注入を調時する行為は、前記作用剤の注入前に圧力降下を測定した後、所定の期間にわたって待機する行為を含む、請求項３記載のシステム。
【請求項６】
前記作用剤の前記注入を調時する行為は、前記側副フローチャネルが前記測定された圧力に基づいて封止されたことを確認する行為と、前記側副フローチャネルが封止されたと確認された後、前記作用剤の前記注入を停止する行為とを含む、請求項３記載のシステム。
【請求項７】
前記プロセッサによって受け取られる前記入力は、前記標的肺コンパートメント内の流量の測定値であり、前記作用剤の前記注入の前記調時は、前記測定流量に基づく、請求項１記載のシステム。
【請求項８】
前記作用剤の前記注入を調時する行為は、前記測定流量が所定のしきい値に達した後に前記作用剤を注入する行為を含む、請求項７記載のシステム。
【請求項９】
前記作用剤の前記注入を調時する行為は、前記側副フローチャネルが前記測定流量に基づいて封止されたことを確認する行為と、前記側副フローチャネルが封止されたと確認された後、前記作用剤の前記注入を停止する行為とを含む、請求項７記載のシステム。
【請求項１０】
前記プロセッサは更に、前記作用剤の前記注入に関する入力をユーザから受け取るよう構成されている、請求項１記載のシステム。
【請求項１１】
前記システムは、前記センサから得られた値を表示するディスプレイユニットを更に含む、請求項１記載のシステム。
【請求項１２】
前記システムは、前記センサからの入力に由来する計算結果を表示するディスプレイユニットを更に含む、請求項１記載のシステム。
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
陰圧閉鎖療法で使用するための装置であって、
ポンプアセンブリ（４００）であって、
ポンプハウジング（４２０）、
前記ポンプハウジング内に位置決めされている磁石（５４０）、
前記ポンプハウジング内に位置決めされている導電性コイル、および
ダイアフラム（５５０）を備え、
前記コイルが、前記ダイアフラムと直接的にまたは間接的に結合され、前記ダイアフラムの少なくとも一部を移動してポンプ動作で流体を前記ポンプアセンブリに通すように構成されている、ポンプアセンブリと、
前記ポンプアセンブリの動作中に前記ポンプアセンブリによって発生する音を低減するように構成されている前記ポンプアセンブリ内に位置決めされた吸収体（９０２）とを具備し、
前記ポンプハウジングは、チャンバ（４３０）を備え、前記吸収体は、前記チャンバ内に位置決めされ、
前記チャンバは、前記ポンプハウジングと一体的に形成される装置。
【請求項２】
前記吸収体は、前記吸収体を通して流体を流せるように構成されている多孔質材料を含み、
前記多孔質材料は、ウレタン発泡体である多孔質材料を含む請求項１に記載の装置。
【請求項３】
前記チャンバ内に位置決めされているディフューザをさらに備え、前記ディフューザは流体が前記チャンバ内に入るとき流体の膨張を容易にするように構成される請求項１に記載の装置。
【請求項４】
前記ポンプハウジングは、前記ポンプアセンブリから出る流体流を連通させるように構成されている排出チャネルをさらに備え、前記チャンバは、前記排出チャネルと連通する請求項１に記載の装置。
【請求項５】
前記排出チャネルは、前記チャネルに沿った開口部を備え、前記開口部は、前記排出チャネルからの流体流の一部を方向変更して前記ハウジングの内部容積内に戻すように構成されており、前記方向変更は、前記ポンプアセンブリの動作中に前記ポンプアセンブリによって発生する音を低減するように構成される請求項４に記載の装置。
【請求項６】
前記排出チャネルからの前記流体流の一部は、前記排出チャネルからの流体流の全体を含む請求項５に記載の装置。
【請求項７】
前記装置が使用されるときに前記ポンプアセンブリと創傷被覆材との間にあるように位置決めされるマニホールドをさらに備える請求項１から６のいずれか一項に記載の装置。
【請求項８】
前記マニホールド内に位置決めされているディフューザをさらに備える請求項７に記載の装置。
【請求項９】
前記マニホールド内に第２の吸収体をさらに備える請求項７に記載の装置。
【請求項１０】
前記第２の吸収体は、前記吸収体を通して流体を流せるように構成されている多孔質材料を含み、
前記第２の吸収体の前記多孔質材料は、ウレタン発泡体である多孔質材料を含む請求項９に記載の装置。
【請求項１１】
制御盤と、
前記制御盤を前記導電性コイルに接続するための電線用導管と、
をさらに備える請求項１から１０のいずれか一項に記載の装置。
【請求項１２】
創傷を封止可能に囲むように構成されている創傷被覆材をさらに備える請求項１から１１のいずれか一項に記載の装置。
【請求項１３】
バネ部材を備え、
前記バネ部材の周囲は、前記ダイアフラムに関して固定された位置にあるように前記ポンプアセンブリ内で支持され、
前記バネ部材の中間部分は、前記ダイアフラムの中間部分が軸方向に撓むときに前記バネ部材の前記周囲に関して撓むように構成されている請求項１から１２のいずれか一項に記載の装置。
【請求項１４】
前記吸収体は、流体が前記吸収体を通って流れるときに流体をフィルタリングするように構成されているフィルタである請求項１から１３のいずれか一項に記載の装置。
【請求項１５】
前記ポンプハウジングの外面上に位置決めされている吸収体をさらに備える請求項１に記載の装置。
【手続補正書】
【提出日】平成30年12月11日(2018.12.11)
【手続補正１】
【補正対象書類名】特許請求の範囲
【補正対象項目名】全文
【補正方法】変更
【補正の内容】
【特許請求の範囲】
【請求項１】
塞栓を偏向させる血管内装置であって、
ａ．  長さのあるフレームと、
ｂ．  前記フレームに取り付けられ、かつ、前記フレームの長さに延在する塞栓のフィルタとを含み、
前記血管内装置が、前記フィルタの水平面に沿って走行し、対象者の大動脈に展開された場合に前記フレームおよび／または前記フィルタに力を加えるように構成されたワイヤを含む、血管内装置。
【請求項２】
前記フレームが前記フィルタの形状を画定し、かつ、前記フレームが、上行大動脈および下行大動脈の両方に接触して保持されるのに適している、請求項１に記載の血管内装置。
【請求項３】
前記ワイヤが、前記フィルタの前記水平面から下方に力を加えるように構成される、請求項１または２に記載の血管内装置。
【請求項４】
前記ワイヤが、前記フィルタの前記水平面から上方に力を加えるように構成される、請求項１〜３のいずれか一項に記載の血管内装置。
【請求項５】
前記ワイヤがテザーを含む、請求項１〜４のいずれか一項に記載の血管内装置。
【請求項６】
前記テザーが少なくとも１つの内腔を含む、請求項５に記載の血管内装置。
【請求項７】
ガイドワイヤが、前記内腔内に位置決めされ、かつ、前記テザーの前記内腔の内壁に力を加えるように構成される、請求項６に記載の血管内装置。
【請求項８】
前記テザーが、取り付けられた保護リップを含む、請求項５〜７のいずれか一項に記載の血管内装置。
【請求項９】
前記ワイヤが前記テザーを含み、かつ、前記テザーが前記フィルタの前記水平面の下または上に力を加えるように構成される、請求項５〜８のいずれか一項に記載の血管内装置。
【請求項１０】
前記ワイヤが拡張器先端を含む、請求項１に記載の血管内装置。
【請求項１１】
送達システムであって、
塞栓を偏向させる血管内装置であって、
長さのあるフレームと、
前記フレームに取り付けられ、かつ、前記フレームの長さに延在する塞栓のフィルタとを含み、
前記血管内装置が、前記フィルタの水平面に沿って走行し、対象者の大動脈に展開された場合に前記フレームおよび／または前記フィルタに力を加えるように構成されたワイヤを含む、血管内装置と、
前記血管内装置を対象者の大動脈に導入するための内腔を有する導入シースとを含む、送達システム。
【請求項１２】
ピッグテールカテーテルをさらに含む、請求項１１に記載の送達システム。
【請求項１３】
前記ピッグテールカテーテルが、鈍先端をさらに含む、請求項１２に記載の送達システム。
【請求項１４】
偏向器をさらに含む、請求項１１〜１３のいずれか一項に記載の送達システム。
【請求項１５】
前記ピッグテールカテーテル、テザーおよび前記血管内装置が、前記導入シースの単一の内腔に装填される、請求項１２または１３のいずれかに記載の送達システム。
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
ステント構造と、
前記ステント構造に取り外し可能に取り付けられる少なくとも１つのアタッチメント機構と、
１又は複数の光学ファイバを有する少なくとも１つの光学形状検知システムであって、前記少なくとも１つのアタッチメント機構に結合され、前記ステント構造の形状、位置又は向きのうち少なくとも１つを測定する光学形状検知システムと、
を有するエンドグラフト。
【請求項２】
前記少なくとも１つのアタッチメント機構が、フック、クリップ、クランプ、磁石、又は捕捉チューブを有する、請求項１に記載のエンドグラフト。
【請求項３】
記少なくとも１つのアタッチメント機構が、前記少なくとも１つの光学形状検知システムの遠位端に結合される、請求項１に記載のエンドグラフト。
【請求項４】
記少なくとも１つのアタッチメント機構が、前記ステント構造における幾何学的なランドマークのアタッチメントポイントに取り付けられる、請求項１に記載のエンドグラフト。
【請求項５】
前記アタッチメントポイントは、前記エンドグラフトのリング、開窓、扇形部又は分岐接合部の１つ又は複数を含む、請求項４に記載のエンドグラフト。
【請求項６】
前記少なくとも１つのアタッチメント機構は、前記ステント構造から選択的に取り外し可能である、請求項１に記載のエンドグラフト。
【請求項７】
前記少なくとも１つのアタッチメント機構は、同一の光学形状検知システムのために前記ステント構造上に複数のアタッチメントポイントを有する、請求項１に記載のエンドグラフト。
【請求項８】
ステント構造と、
前記ステント構造の開窓を通して事前にカニュレーションされる少なくとも１つの配備可能な機器と、
を有するエンドグラフトであって、
前記少なくとも１つの配備可能な機器は、１又は複数の光学ファイバを有する光学形状検知システムを具備し、前記光学形状検知システムは、前記ステント構造の形状、位置又は向きの少なくとも１つを測定し、前記エンドグラフトの配置のために前記開窓を血管の分岐とアラインさせるように構成される、エンドグラフト。
【請求項９】
前記配備可能な機器がガイドワイヤを有する、請求項８に記載のエンドグラフト。
【請求項１０】
壁を有するステント構造と、
前記ステント構造の壁内に形成されるルーメンと、
１又は複数の光学ファイバを有する光学形状検知システムであって、前記ルーメンに通され、前記ステント構造に取り外し可能に固定され、前記ステント構造の形状、位置又は向きの少なくとも１つを測定するように構成される光学形状検知システムと、
を有するエンドグラフト。
【請求項１１】
前記ステント構造は、前記光学形状検知システムの少なくとも一部が除去されることができる引っ込め可能な光学形状検知部分を有する、請求項１０に記載のエンドグラフト。
【請求項１２】
前記ルーメンが、中空のステントワイヤに少なくとも部分的に含まれている、請求項１０に記載のエンドグラフト。
【請求項１３】
前記ルーメンが、前記壁の中の複数の異なる方向に沿って延在する経路をたどる、請求項１０に記載のエンドグラフト。
【請求項１４】
同心支持部材を有するルーメンを有するステント構造と、
同心支持部材の少なくとも１つにより形成される目と、
１又は複数の光学ファイバを有する光学形状検知システムであって、前記目に通され、前記ステント構造に取り外し可能に固定され、前記ステント構造の形状、位置又は向きの少なくとも１つを測定する光学形状検知システムと、
を有するエンドグラフト。
【請求項１５】
エンドグラフト配備のための方法であって、
エンドグラフトに関連付けられる少なくとも１つの光学形状検知システムであって、１又は複数の光学ファイバを有する光学形状検知システムを配備するステップと、
前記配備中に、前記少なくとも１つの光学形状検知システムを使用して、前記エンドグラフトの形状、位置又は向きの少なくとも１つを測定するステップと、
前記エンドグラフトが配置される血管の画像データと、光学形状検知データを位置合わせするステップと、
前記血管に前記エンドグラフトをアンカーするステップと、
前記エンドグラフトから前記光学形状検知システムの一部を除去するステップと、
を含む方法。
【手続補正書】
【提出日】平成30年12月20日(2018.12.20)
【手続補正１】
【補正対象書類名】特許請求の範囲
【補正対象項目名】全文
【補正方法】変更
【補正の内容】
【特許請求の範囲】
【請求項１】
医療デバイスの配備のためのシステムであって、
配備可能な医療デバイス及び配備器具の少なくとも１つに関連付けられる少なくとも１つの光学形状検出ＯＳＳシステムであって、前記ＯＳＳシステムが、前記配備可能な医療デバイス及び／又は配備器具の形状、位置又は向きの少なくとも１つを測定するよう構成される、ＯＳＳシステムと、
前記配備可能な医療デバイスの配置を可能にするため、ＯＳＳデータを撮像データと位置合わせするよう構成されるレジストレーションモジュールと、
前記配備可能な医療デバイスの視覚的表現を生成し、前記配備可能な医療デバイスと前記撮像データとを共に表示するよう構成される画像処理モジュールとを有する、システム。
【請求項２】
前記視覚的表現として表示するよう仮想的にレンダリングされる前記配備可能な医療デバイスのモデルを提供するため、メモリに格納されるルックアップテーブルを更に有する、請求項１に記載のシステム。
【請求項３】
前記モデルが、前記ＯＳＳデータからの前記配備可能な医療デバイスの形状、位置又は向き、前記配備可能な医療デバイスの配備状態、前記撮像データ及び／又はユーザ入力からの入力の少なくとも１つに基づき更新される、請求項２に記載のシステム。
【請求項４】
メモリに格納され、前記ＯＳＳシステムによる測定値に基づき選択可能かつ構成可能である前記配備可能な医療デバイスの１つ又は複数のデジタル表現を更に有する、請求項１に記載のシステム。
【請求項５】
前記撮像データが、配備されるＯＳＳシステムの位置により指定される関心領域に制限されるエネルギーを提供するソースを持つ術中撮像システムを含む、請求項１に記載のシステム。
【請求項６】
前記ＯＳＳシステムが、前記配備可能な医療デバイスに一体化され、前記配備可能な医療デバイスの少なくとも一部は、ディスプレイに視覚的に表される、請求項１に記載のシステム。
【請求項７】
前記配備可能な医療デバイスの少なくとも一部が、確率マップ、前記配備可能な医療デバイス機器又はマーカーの一部を用いて視覚的に表される、請求項６に記載のシステム。
【請求項８】
前記ＯＳＳシステムが、前記配備器具に一体化され、前記配備可能な医療デバイスの少なくとも一部は、前記配備器具に対して仮想的に表される、請求項１に記載のシステム。
【請求項９】
前記配備可能な医療デバイスが、エンドグラフト、ステント、置換バルブ、クリップ又はバルーンの１つ又は複数を含む、請求項１に記載のシステム。
【請求項１０】
ＯＳＳシステムにより測定された解剖学的特徴に基づき、配備可能な医療デバイスのタイプを選択するよう構成される計画モジュールを更に有する、請求項１に記載のシステム。
【請求項１１】
移植可能なデバイスの配備のためのシステムであって、
移植可能なデバイス及び配備器具の少なくとも１つに関連付けられる少なくとも１つの光学形状検出ＯＳＳシステムであって、前記ＯＳＳシステムが、前記移植可能なデバイス及び／又は配備器具の形状、位置又は向きの少なくとも１つを測定するよう構成される、ＯＳＳシステムと、
血管にフィットするよう前記移植可能なデバイスのモデル又はメッシュを修正することにより、前記移植可能なデバイスタイプのデジタル表現を修正するよう構成される編集モジュールと、
前記デジタル表現を用いて、前記移植可能なデバイスの配置を可能にするため、撮像データとＯＳＳデータとを位置合わせするよう構成されるレジストレーションモジュールと、
前記撮像データと共に、前記移植可能なデバイスのデジタル表現を表示するよう構成される画像処理モジュールとを有する、システム。
【請求項１２】
表示のため仮想的にレンダリングされる前記移植可能なデバイスのモデル又はメッシュを提供するため、メモリに格納されるルックアップテーブルを更に有する、請求項１１に記載のシステム。
【請求項１３】
前記編集モジュールが、前記ＯＳＳデータからの前記移植可能なデバイスの形状、位置及び向き、前記移植可能なデバイスの配備状態、前記撮像データ及び／又はユーザ入力からの入力の少なくとも１つに基づき前記デジタル表現を変更するよう構成される、請求項１１に記載のシステム。
【請求項１４】
前記撮像データが、配備されたＯＳＳシステムの位置により指定される関心領域に制限されるエネルギーを提供するソースを持つ術中撮像システムを含む、請求項１１に記載のシステム。
【請求項１５】
医療デバイスを配備するための方法において、
配備可能な医療機器のデジタル表現として配備可能な医療デバイスモデルを選択するステップと、
光学形状検出ＯＳＳ対応配備器具のＯＳＳデータと撮像データとを位置合わせするステップと、
ＯＳＳシステムの前記ＯＳＳデータ、前記デジタル表現、及び前記撮像データを共に表示して、前記デジタル表現を用いて前記配備可能な医療デバイスを位置決めするときのガイダンスを提供するステップと、
前記配備可能な医療デバイスの前記デジタル表現の視覚表現を用いて、前記配備可能な医療デバイスを血管内に配備するステップとを有する、方法。